(57)【特許請求の範囲】
【請求項１】
遊技機に設けられる回路基板と、該回路基板を覆うカバーとを備えた遊技用回路装置において、
前記回路基板と前記カバーとの重なり部分に複数の固定可能部を形成し、
前記回路基板を前記カバーで覆うときは、前記固定可能部を固定し、
前記回路基板と前記カバーとを引き離すときは、固定した前記固定可能部を除去することを特徴とする遊技用回路装置。
【請求項２】
請求項１記載の遊技用回路装置において、前記カバーは、前記回路基板の上面を覆う上部カバー及び前記回路基板の下面を覆う下部カバーから成り、前記固定可能部は、前記回路基板と前記上部カバー又は前記下部カバーとの重なり部分に形成されることを特徴とする遊技用回路装置。
【請求項３】
請求項１記載の遊技用回路装置において、前記カバーは、前記回路基板の上面を覆う上部カバー及び前記回路基板の下面を覆う下部カバーから成り、前記固定可能部は、前記回路基板と前記上部カバー及び前記下部カバーとの重なり部分に形成されることを特徴とする遊技用回路装置。
【請求項４】
請求項１乃至３のいずれか記載の遊技用回路装置において、前記回路基板は、該回路基板に固着した固着部を含むことを特徴とする遊技用回路装置。
【発明の詳細な説明】
【０００１】
【発明の属する技術分野】
本発明は、パチンコ遊技機やスロットマシン等の遊技機に用いられる回路基板を備えた遊技用回路装置に関する。
【０００２】
【従来の技術】
例えば、パチンコ遊技機には、その動作を制御するＣＰＵ及び記憶素子であるＲＯＭ、ＲＡＭ等の電子回路を配置形成した遊技制御基板が設けられている。この遊技制御基板は、回路を外部から保護すると共に遊技機の裏面側に取り付けるため、基板ボックス内に収容されている。この基板ボックスは、底部材と蓋部材とを重ねて構成されている。
【０００３】
上記ＲＯＭには、遊技制御のためのプログラムが格納されているので、ＲＯＭの交換やＲＯＭ内のプログラムの書換えにより通常の遊技とは異なる遊技を行うようにする不正がなされることがある。この不正を防止するには、基板ボックスを開放が困難な構造にすることが考えられる。
【０００４】
一方、遊技店に設置された遊技機に対して、公的機関により不正がなされた基板かどうかの検査、具体的にはＲＯＭの内容の検査が行われるが、このとき、ボックスが開放不可もしくは開放し難い構造であると、基板ボックス内の回路基板を検査するのに支障をきたすことになる。このような検査のため、或いは回路基板の修理のために基板ボックスを破壊してしまうと、基板ボックスは再使用できなくなってしまう。
【０００５】
上記のような問題を解決するために、基板ボックスの底部材と蓋部材との重なり部分に封印シールを貼ることが行われているが、巧妙な不正行為者は、偽の封印シールを使用して不正を行うことがあった。
【０００６】
そこで、回路基板の不正な開放を防止し、検査又は修理の際には開放可能で、検査又は修理が終われば不正な開放を防止する構造に戻すことができる基板ボックスが提案されている。その一例が、特開平９−２２５０９２号公報に開示されている。これは、少なくとも底部部材（底部材）と表部部材（蓋部材）とからなるボックス体の内部に、電子部品を搭載した制御回路基盤を収納してなる制御回路装置において、ボックス体の底部部材と表部部材とを組み付けた際に互いに重なる重合部を形成すると共に、この重合部の複数箇所に、ボックス体の不正な開放を防止するための不正開放防止用結合を可能とする不正開放防止用結合部を形成し、これら複数箇所の不正開放防止用結合部のうちのいずれかを予備として、不正開放防止用結合を行っていない状態に残すことを特徴とするものである。そして、不正開放防止用結合部を結合した後にボックス体を開放した場合には、不正開放防止用結合部にボックス体を開放した痕跡が残る構造となっている。
【０００７】
【発明が解決しようとする課題】
しかしながら、上記のように、底部材と蓋部材とを組み付けた際に互いに重なる重合部に、ボックス体の不正な開放を防止するための不正開放防止用結合部を形成し、ボックス体を開放した場合には不正開放防止用結合部に開放の痕跡が残るようにしても、すなわち底部材及び蓋部材に開放の痕跡が残るようにしても、新たな底部材及び蓋部材を用意して、これに不正な処理を行った回路基板を収容すれば不正行為の痕跡が残らないので、不正行為の事実の発見は困難となる。
【０００８】
本発明は、以上の状況に鑑み、不正行為がされた場合、その事実が回路基板自体に痕跡として残るようにした遊技用回路装置を提供するものである。
【０００９】
【課題を解決するための手段】
本発明の第１の態様は、遊技機に設けられる回路基板と、回路基板を覆うカバーとを備えた遊技用回路装置において、回路基板とカバーとの重なり部分に複数の固定可能部を形成し、回路基板をカバーで覆うときは、固定可能部を固定し、回路基板とカバーとを引き離すときは、固定した固定可能部を除去することを特徴とする。
【００１０】
本発明の第２の態様は、カバーは、回路基板の上面を覆う上部カバー及び回路基板の下面を覆う下部カバーから成り、固定可能部は、回路基板と上部カバー又は下部カバーとの重なり部分に形成されることを特徴とする。
【００１１】
本発明の第３の態様は、カバーは、回路基板の上面を覆う上部カバー及び回路基板の下面を覆う下部カバーから成り、固定可能部は、回路基板と上部カバー及び下部カバーとの重なり部分に形成されることを特徴とする。
【００１２】
本発明の第４の態様は、回路基板は、回路基板に固着した固着部を含むことを特徴とする。
【００１３】
【作用及び効果】
本発明によれば、回路基板とカバーとの重なり部分に複数の固定可能部を形成する。そして、回路基板を覆うときは、固定可能部を固定し、回路基板とカバーとを引き離すときは、固定した固定可能部を除去する。このため、固定可能部を一旦固定した後、回路基板とカバーとを引き離すには、固定した固定可能部を除去しなくてはならない。この固定可能部は、回路基板とカバーとの重なり部分に形成されているので、固定した固定可能部を除去すると、回路基板及びカバーの当該固定可能部を形成している部分が除去されることとなり、回路基板とカバーとを引き離した痕跡がカバーのみならず、回路基板にも残る。
【００１４】
つまり、回路基板に不正処理がされた場合、カバー及び回路基板にその痕跡が残るので、不正処理の事実を容易に発見できる。また、回路基板の不正な処理のために回路基板とカバーとが引き離された後、その痕跡を残さないようにするには、新たな回路基板及びカバーを用意せざるを得なくなり、あえてそれ程の不正をすることは考え難いので、回路基板の不正な処理を防止できる。
【００１５】
本発明の具体的態様によれば、回路基板と上部カバー又は下部カバーとの重なり部分に複数の固定可能部を形成することができる。他に、回路基板と上部カバー及び下部カバーとの重なり部分に複数の固定可能部を形成することができる。また、回路基板に固着した固着部とカバーとの重なり部分に複数の固定可能部を形成することができる。
【００１６】
【発明の実施の形態】
以下、本発明の実施例について説明する。
【００１７】
〔第１実施例〕
図１は、本発明による回路装置を用いるパチンコ遊技機１の背面図である。この背面には、電源部２、払出球を貯めている払出球タンク３、入賞球に応じた球を払い出すための球排出装置４、遊技球を発射するための打球発射制御装置５、後述する複数の固定可能部８１を有し遊技機１の遊技動作を制御する遊技用回路装置６、遊技機１の前面の図示しない遊技盤面に設けられた可変表示装置、入賞装置、入賞球センサ、ランプ、ＬＥＤ等の電気設備との中継のための盤面中継端子盤７、及びカードユニット８が設けられている。この他に、図示しない払出球センサ、払出個数検知スイッチ、ソレノイド等の電気機器が備えられている。
【００１８】
図２は遊技用回路装置６の平面図、図３は分解斜視図である。以下、図２及び図３を用いて遊技用回路装置６の構成を説明する。
【００１９】
遊技用回路装置６は、遊技制御基板４１、上部カバー２１及び下部カバー６１で構成されている。
【００２０】
上部カバー２１の形状は、合成樹脂製の底面が開放した箱状である。この上部カバー２１の上面には、遊技制御基板４１が発生した熱を外部へ放出するための放熱用開口２３、後述する検査履歴表示部２５及び開閉方法指示部２６が設けられている。上部カバー２１の側面には、遊技制御基板４１に備えられたコネクタ部４２のためのコネクタ用開口２２が設けられている。上部カバー２１の内面には、下方に延びた爪部２４ａを有して遊技制御基板４１と係合する係止垂下片２４、予備のワンウェイネジ４７を保持するための予備ネジ保持部２７、及び予備の封印シール２９を保持するための予備シール保持部２８が設けられている。
【００２１】
遊技制御基板４１は、ＣＰＵ，ＲＯＭ等の電子回路９、通信のためのコネクタ部４２、ネジ用開口４３、基板突出穴４６が設けられた複数の基板突出部４５、及び上部カバー２１に設けられた係止垂下片２４を係止するための係止口４８を備えている。各基板突出部４５には、識別のための識別番号が付されている。
【００２２】
下部カバー６１は、遊技制御基板４１をビス４４で止めるためのボス６２、遊技機１に止めるための取付けボス６３、上記の基板突出穴４６を介してワンウェイネジ４７を止めるための止着穴６６を有する複数の下部突出部６５、及び遊技用制御基板４１の下面中央に接触して遊技制御基板４１を支持する基盤支持部６７を備えている。
【００２３】
なお、基板突出部４５及び下部突出部６５には、後述のように固定した固定可能部８１の除去を容易にするため、破線状の切り目（いわゆるミシン目）４９及び６８が互いに重なり合うように設けられている（図３では、下部突出部６５のミシン目６８のみを示す）。
【００２４】
上部カバー２１から下部カバー６１にかけて、封印シール２９が貼られている。
【００２５】
図４は、図２に示す遊技用回路装置６のIV−IV線断面図である。図示のとおり、遊技制御基板４１に設けられた基板突出部４５と、下部カバー６１に設けられた下部突出部６５とで、固定可能部８１が形成される。この固定可能部８１は、ワンウェイネジ４７を基板突出穴４６に通して止着穴６６にねじ込むことにより、固定される。この固定された固定可能部８１を取り除かなければ、下部カバー６１を遊技制御基板４１から引き離すことはできない。
【００２６】
上部カバー２１に設けられた係止垂下片２４は、前述のように外側に突出する爪部２４ａを備えている。上部カバー２１を上方から遊技制御基板４１に装着するとき、係止垂下片２４は、弾性変形しながら下方に移動する。そして、爪部２４ａが係止口４８の下方に出たとき、上部カバー２１は、遊技制御基板４１と係合した状態となる。この係合した状態を開放するには、爪部２４ａを係止口４８の下方に移動した状態で、上部カバー２１を上方に移動しなければならない。このため、一旦、遊技制御基板４１に上部カバー２１及び下部カバー６１を装着した後は、固定された固定可能部８１を取り除かなければ、遊技制御基板４１を上部カバー２１から引き離すことはできない。
【００２７】
ここで、固定可能部８１を形成している基板突出部４５と下部突出部６５にそれぞれ設けられた基板ミシン目４９と下部ミシン目６８は、互いに重なっている。このため、検査等の際に、固定可能部８１に対して上方又は下方に力を加えれば、上下に重なったミシン目のところで基板突出部４５と下部突出部６５が折れるので、固定した固定可能部８１を容易に除去することができる。なお、このようなミシン目４９及び６８は、必ずしも設ける必要はない。その場合、固定可能部８１をニッパー等で切断すればよい。
【００２８】
また、本実施例では、固定可能部８１をワンウェイネジ４７で固定しているが、リベットや熱溶着などで固定するようにしてもよい。
【００２９】
本実施例において、１０箇所形成される固定可能部８１のうち、図２に示すように、２ヶ所固定した後、検査等により固定した固定可能部８１を除去した場合、再度遊技制御基板４１を封印するには、残りの固定可能部８１を固定して、上部カバー２１を遊技制御基板４１に装着すればよい。このため、検査等の後でも、不正な開放を防止することができる。
【００３０】
図５は、上部カバー２１の内面のワンウェイネジ４７及びワンウェイネジ４７を保持するための予備ネジ保持部２７が設けられた部分の正面図である。検査等により固定した固定可能部８１を除去して遊技制御基板４１を開放した後、予備のワンウェイネジ４７を用いて残りの固定可能部８１のいずれかを固定することにより、容易に遊技制御基板４１を封印することができる。
【００３１】
図６は、上部カバー２１の内面に設けられた予備の封印シール２９及び封印シール２９を保持するための予備シール保持部２８の正面図を示している。検査等により、封印シール２９を剥がして遊技制御基板４１を開放した後、予備の封印シール２９を用いて容易に遊技制御基板４１を封印することができる。
【００３２】
図７は、上部カバー２１に設けられた検査履歴表示部２５の正面図を示す。この検査履歴表示部２５には、図２において各基板突出部４５に付された識別番号が記載されている。この識別番号を示す数字の下方には、それぞれ検査日付及び印を表示するための空欄が設けられている。
【００３３】
検査等により、いずれかの固定可能部８１を除去したとき、当該除去された固定可能部８１を構成する基板突出部４５に付された識別番号に対応する検査履歴表示部２５の空欄部分に日付及び印の書き込みを行う。
【００３４】
図１に示したように、固定可能部８１は、遊技店の係員が遊技機１の保守点検等のために遊技機１を開いたとき、視認可能な位置にある。このため、検査履歴表示部２５の記載と各固定可能部８１とを比較することにより、容易に不正な遊技制御基板４１の開放が成されたかどうかを判断できる。
【００３５】
図８は、上部カバー２１に設けられた開閉方法指示部２６の正面図である。図示された遊技制御基板４１の開封手順及び封印手順に従うことにより、容易に遊技制御基板４１の検査等を行うことができる。
【００３６】
〔第２実施例〕
図９は、遊技用回路装置１１の分解斜視図である。上部カバー９１の形状は、合成樹脂製の底面が開放した箱状である。この上部カバー９１の上面には、遊技制御基板９２が発生した熱を外部へ放出するための放熱用開口２３、検査履歴表示部２５及び開閉方法指示部２６が設けられている。上部カバー９１の側面には、遊技制御基板９２に設けたコネクタ部４２が入るコネクタ用開口２２と、上部突出穴３２を備えた上部突出部３１とが設けられている。
【００３７】
この実施例では、後述のように固定した固定可能部８２の除去を容易にするための切り目として、上部突出部３１、基板突出部４５及び下部突出部６５にそれぞれ上部ミシン目５１、基板ミシン目４９及び下部ミシン目６８が設けられている（図９では、上部ミシン目５１及び下部ミシン目６８を示す）。
【００３８】
遊技制御基板９２は、各種電子回路９、通信のためのコネクタ部４２、ネジ用開口４３及び基板突出穴４６が設けられた複数の基板突出部４５を備えている。各基板突出部４５には、識別のための識別番号が付されている。
【００３９】
図１０は、遊技用回路装置１１の断面図である。図示のように、上部カバー９１に設けられた上部突出部３１、遊技制御基板９２に設けられた基板突出部４５及び下部カバー６１に設けられた下部突出部６５により、固定可能部８２が形成される。この固定可能部８２は、ワンウェイネジ４７を上部突出穴３２及び基板突出穴４６を通して止着穴６６にねじ込むことによって固定される。この固定された固定可能部８２を取り除かなければ、上部カバー９１及び下部カバー６１を遊技制御基板９２から引き離すことはできない。
【００４０】
図１０に示すように、固定可能部８２が形成されたとき、基板ミシン目４９、上部ミシン目５１及び下部ミシン目６８は、互いに重なる。このため、固定可能部８２に対して上方又は下方に力を加えれば、上下に重なったミシン目のところで上部突出部３１、基板突出部４５及び下部突出部６５が折れるので、固定した固定可能部８２を容易に除去することができる。
【００４１】
検査等のためにいずれかの固定可能部８２を除去したとき、当該除去された固定可能部８２を構成する基板突出部４５に付された識別番号に対応する検査履歴表示部２５の空欄部分に日付及び印の書き込みを行っておくことにより、不正行為を容易に発見することができる。なお、不正行為により基板突出部４５の除去があったかどうかを、遊技店の係員が遊技機１の保守点検等のために遊技機１を開いたときに視認できるようにするために、上部カバー９１は、透明であることが望ましい。また、識別番号は、各上部突出部３１に付するようにしてもよい。
【００４２】
次に、図１１（Ａ）及び（Ｂ）を参照して、遊技制御基板９２に対して不正を行おうとする者が、遊技制御基板９２を封印しているワンウェイネジ４７に触れることができないようにするための上部突出部３１の別の態様である上部突出部３３及び封印キャップ３６について説明する。
【００４３】
図１１（Ａ）は、上部突出部３１の別の態様である上部突出部３３を示す斜視図である。この上部突出部３３は、埋め込み穴３４を備えている。この埋め込み穴３４には、後述する封印キャップ３６の突起３８を掛止めするための溝３５が設けられている。また、埋め込み穴３４の下方には、ワンウェイネジ４７を止着穴６６へねじ込むための上部突出穴３２が設けられている。
【００４４】
図１１（Ｂ）は、封印キャップ３６の斜視図である。封印キャップ３６は、埋め込み穴３４を塞ぐための、すなわちワンウェイネジ４７の頭部を隠すためのキャップ３７と、突起３８と、キャップ３７及び突起３８を繋ぐ脚３９とが設けられている。
【００４５】
封印キャップ３６を埋め込み穴３４の上方から挿入すると、脚３９は、弾性変形しながら下方に移動する。そして、突起３８が溝３５に係合し、ワンウェイネジ４７に触れられない状態となる。
【００４６】
〔第３実施例〕
図１２は遊技用回路装置１２の平面図、図１３は遊技用回路装置１２の分解斜視図である。以下、図１２及び図１３を用いて遊技用回路装置１２の構成を説明する。
【００４７】
遊技用回路装置１２は、遊技制御基板１１１、上部カバー１０１及び下部カバー１２１で構成されている。
【００４８】
上部カバー１０１の形状は、合成樹脂製の底面が開放した箱状である。この上部カバー１０１には、遊技制御基板１１１が発生した熱を外部へ放出するための放熱用開口２３、遊技制御基板１１１に備えられたコネクタ部４２のためのコネクタ用開口２２、検査履歴表示部２５、開閉方法指示部２６、複数の凹部１０２及び各凹部１０２を囲むように上部ミシン目１０３が設けられている。各凹部１０２の横には、識別のための識別番号が付されている。
【００４９】
遊技制御基板１１１は、各種電子回路９、通信のためのコネクタ部４２、ネジ用開口４３、ワンウェイネジ４７を止めるための固着ボス１１２及び各固着ボス１１２を囲むように基板ミシン目１１３を備えている。
【００５０】
下部カバー１２１は、遊技制御基板１１１をビス４４で止めるためのボス６２、遊技機１に止めるための取付けボス６３、外筒１２２及び遊技制御基板１１１の下面中央に接触して遊技制御基板１１１を支持する基盤支持部６７及び後述の下部ミシン目１２３（図１４）を備えている。
【００５１】
図１４は、図１２に示す遊技用回路装置１２のXIV−XIV線断面図である。ここで、固定可能部は、凹部１０２と遊技制御基板１１１に取り付けられた固着ボス１１２とによって形成されている。この固定可能部は、ワンウェイネジ４７が凹部１０２を介して固着ボス１１２にねじ込まれて固定される。この固定された固定可能部を取り除かなければ、上部カバー１０１を遊技制御基板１１１から引き離すことはできない。
【００５２】
前述のように、上部カバー１０１の上面には各凹部１０２を囲むように上部ミシン目１０３が設けられ、遊技制御基板１１１には各固着ボス１１２を囲むように基板ミシン目１１３が設けられている。
【００５３】
下部カバー１２１には、各外筒１２２の内側に沿って下部ミシン目１２３が設けられている。
【００５４】
固定された固定可能部を除去するには、ワンウェイネジ４７の頭にポンチ等で下方へ力を加える。すると、凹部１０２が上部ミシン目１０３を境に上部カバー１０１から外れ、遊技制御基板１１１から基板ミシン目１１３に囲まれた遊技制御基板１１１の一部及び固着ボス１１２が外れる。
【００５５】
次に、固着ボス１１２の底部が下部ミシン目１２３に囲まれた部分に当たり、当該部分が下部カバー１２１から外れて開口が形成される。上記の凹部１０２、ワンウェイネジ４７、固着ボス１１２及び基板ミシン目１１３に囲まれた遊技制御基板１１１の一部は、この開口を通って遊技用回路装置１２から除去される。すなわち、固定可能部が除去される。外筒１２２は、上記の除去されるものが遊技用回路装置１２内に残らないようにするために設けられている。
【００５６】
検査等のために、いずれかの固定可能部を除去したとき、当該除去された固定可能部を構成する凹部１０２の識別番号に対応する検査履歴表示部２５の空欄部分に日付及び印の書き込みを行っておくことにより、不正行為を容易に発見することができる。なお、遊技店の係員が遊技機１の保守点検等のために遊技機１を開いたときに、不正行為により遊技制御基板１１１の一部が除去されているか、すなわち基板ミシン目１１３に囲まれた部分が除去されているかどうかを、容易に視認できるようにするために、上部カバー１０１は、透明であることが望ましい。なお、遊技制御基板１１１の検査等を行った後、固定されていない固定可能部を固定して再び遊技制御基板１１１を封印することができる。
【００５７】
本実施例において、予備ネジ、予備ネジ保持部、予備の封印シール及び予備シール保持部を設けるようにしてもよい。また、外筒を上部カバー１０１に凹部１０２を囲むように設けるようにしてもよい。他に、凹部１０２に溝を設けて封印キャップ３６でワンウェイネジ４７に接触できないようにしてもよい。
【００５８】
〔第４実施例〕
図１５は、遊技用回路装置１３の分解斜視図である。この遊技用回路装置１３は、遊技制御基板１５１、上部カバー１４１及び下部カバー１６１で構成されている。
【００５９】
上部カバー１４１は、第３の実施例の上部カバー１０１の凹部１０２を長凹部１４２に置き換えた構成となっている。各長凹部１４２を囲むように、上部ミシン目１４３が設けられている。
【００６０】
遊技制御基板１５１は、各種電子回路９、通信のためのコネクタ部４２、ネジ用開口４３、ワンウェイネジ４７を通すための固定穴１５２及び各固定穴１５２を囲むように基板ミシン目１５３を備えている。
【００６１】
下部カバー１６１は、遊技制御基板１５１をビス４４で止めるためのボス６２、取付けボス６３、ワンウェイネジ４７をねじ込むための内ボス１６２、外筒１２２、遊技制御基板１５１の下面中央に接触して遊技制御基板１５１を支持する基盤支持部６７及び後述の下部ミシン目１６３（図１６）を備えている。
【００６２】
図１６は、遊技用回路装置１３の断面図である。前述のように、上部カバー１４１の上面には、各長凹部１４２を囲むように上部ミシン目１４３が設けられ、遊技制御基板１５１には、各固定穴１５２を囲むように基板ミシン目１５３が設けられている。下部カバー１６１には、各外筒１２２と内ボス１６２との間に、外筒１２２及び内ボス１６２に沿うように下部ミシン目１６３が設けられている。
【００６３】
固定可能部は、上部カバー１４１の長凹部１４２と、遊技制御基板１５１の基板ミシン目１５３に囲まれた部分と、下部カバー１６１の内ボス１６２とによって形成されている。内ボス１６２の内周周辺の上面は長凹部１４２の底面と接触している。遊技制御基板１５１の基板ミシン目１５３に囲まれた部分の上面は長凹部１４２の底面と接触し、下面は内ボス１６２の外周周辺の上面と接触している。
【００６４】
固定された固定可能部を除去するには、ワンウェイネジ４７の頭に、ポンチ等で下方へ力を加える。すると、長凹部１４２が上部ミシン目１４３を境に上部カバー１４１から外れ、基板ミシン目１５３に囲まれた遊技制御基板１５１の一部が遊技制御基板１５１から外れ、内ボス１６２が下部ミシン目１６３を境に下部カバー１６１から外れる。そして、長凹部１４２、ワンウェイネジ４７、基板ミシン目１５３に囲まれた遊技制御基板１５１の一部及び内ボス１６２が遊技用回路装置１３から除去される。
【００６５】
遊技店の係員が遊技機１の保守点検等のために遊技機１を開いたときに、不正行為により遊技制御基板１５１の一部が除去されているか、すなわち基板ミシン目１５３に囲まれた部分が除去されているかどうかを、容易に視認できるようにするために、上部カバー１４１は、透明であることが望ましい。なお、遊技制御基板１５１の検査等を行った後、固定されていない固定可能部を固定して再び遊技制御基板１５１を封印することができる。
【００６６】
【図面の簡単な説明】
【図１】第１実施例の遊技機の背面を示す図。
【図２】第１実施例の遊技用回路装置の平面図。
【図３】第１実施例の遊技用回路装置の分解斜視図。
【図４】図２のIV−IV線断面図。
【図５】第１実施例の予備ネジ保持部が設けられた部分の正面図。
【図６】第１実施例の予備シール保持部の正面図。
【図７】第１実施例の検査履歴表示部の正面図。
【図８】第１実施例の開閉方法指示部の正面図。
【図９】第２実施例の遊技用回路装置の分解斜視図。
【図１０】第２実施例の遊技用回路装置の断面図。
【図１１】第２実施例の別の態様の上部突出部及び封印キャップの斜視図。
【図１２】第３実施例の遊技用回路装置の平面図。
【図１３】第３実施例の遊技用回路装置の分解斜視図。
【図１４】図１２のXIV−XIV線断面図。
【図１５】第４実施例の遊技用回路装置の分解斜視図。
【図１６】第４実施例の遊技用回路装置の断面図。
【符号の説明】
１…遊技機、２…電源部、３…払出球タンク、４…球排出装置、５…打球発射制御装置、６…遊技用回路装置、７…盤面中継端子盤、８…カードユニット、１１、１２、１３…遊技用回路装置、２１…上部カバー、２２…コネクタ用開口、２３…放熱用開口、２４…係止垂下片、２５…検査履歴表示部、２６…開閉方法指示部、２７…予備ネジ保持部、２８…予備シール保持部、２９…封印シール、３１、３３…上部突出部、３６…封印キャップ、４１…遊技制御基板、４２…コネクタ部、４５…基板突出部、４６…基板突出穴、４７…ワンウェイネジ、４８…係止口、６１…下部カバー、６５…下部突出部、６６…止着穴、９１、１０１…上部カバー、１０２…凹部、１１１…遊技制御基板、１１２…固着ボス、１２１…下部カバー、１２２…外筒、１４１…上部カバー、１４２…長凹部、１５１…遊技制御基板、１５２…固定穴、１６１…下部カバー、１６２…内ボス。
【図１】
0003706274.tif 000002
【図２】
0003706274.tif 000003
【図３】
0003706274.tif 000004
【図４】
0003706274.tif 000005
【図５】
0003706274.tif 000006
【図６】
0003706274.tif 000007
【図７】
0003706274.tif 000008
【図８】
0003706274.tif 000009
【図９】
0003706274.tif 000010
【図１０】
0003706274.tif 000011
【図１１】
0003706274.tif 000012
【図１２】
0003706274.tif 000013
【図１３】
0003706274.tif 000014
【図１４】
0003706274.tif 000015
【図１５】
0003706274.tif 000016
【図１６】
0003706274.tif 000017